(57)【要約】【課題】  原稿の読取りを行う一のデータ系がダウンした場合であっても、マシンの全体をダウンさせることなく、本来の画像に準じたレベルでの画像を取得する。【解決手段】  複数の光スペクトル感度特性を有し、原稿からの反射光または透過光を受光して原稿画像を読取る光電変換素子と、光電変換素子からの読取画像をそれぞれの光スペクトル感度特性毎の画像データとして出力する画像データ読取手段と、複数の画像データ読取手段の内の一の画像データ読取手段を駆動すると共に、一の画像データ読取手段がダウンしたとき、他の画像データ読取手段を選択して駆動する選択手段とを備える。【選択図】  図５
2006166270.tif 000002
【特許請求の範囲】
【請求項１】
複数の光スペクトル感度特性を有し、原稿からの反射光または透過光を受光して原稿画像を読取る光電変換素子と、該光電変換素子からの読取画像をそれぞれの光スペクトル感度特性毎の画像データとして出力する画像データ読取手段と、複数の前記画像データ読取手段の内の一の画像データ読取手段を駆動すると共に、前記一の画像データ読取手段がダウンしたとき、他の前記画像データ読取手段を選択して駆動する選択手段とを有することを特徴とする画像読取装置。
【請求項２】
前記一の画像データ読取手段がダウンしたとき、前記ダウンを表示する表示手段をさらに有することを特徴とする請求項１記載の画像読取装置。
【請求項３】
前記選択手段は他の前記画像データ読取手段の選択を手動切り換え可能となっていることを特徴とする請求項１または２記載の画像読取装置。
【請求項４】
前記複数の画像データ読取手段はＲＧＢの３種の画像データを読取り、通常時はＧデータを使用してモノカラーの画像とし、前記Ｇデータの異常時には代替えデータとしてＲデータおよびＢデータのいずれかを使用することを特徴とする請求項１から３のいずれか１項に記載の画像読取装置。
【発明の詳細な説明】
【技術分野】
【０００１】
本発明は、ファクシミリ装置、プリンタ装置等における画像を読取る画像読取装置に関する。
【背景技術】
【０００２】
特許文献１には、青色受光素子列に焦点を合わせて受光量を増大する画像読取装置が開示されている。特許文献２には、感度が低い光電変換素子によって画像を読取る際に、ＮＤフィルタを読取光路から退避させる画像読取装置が開示されている。特許文献３には、多色原稿を読取り後に単一色で印刷を行う場合において、隣接領域の濃度差が小さいときに警告を発する画像読取装置が開示されている。
【０００３】
一方、複数の光スペクトル感度を有しカラー読取りが可能な画像読取装置において、モノクロモードの読取りの際には、複数の光スペクトルの中から、１種のデータを使用して再現させることが行われている。例えば、赤（Ｒ）、緑（Ｇ）、青（Ｂ）の３色のスペクトルにおいては、視感度特性に近い緑をモノクロの読取りデータとして使用することにより濃度を表現することが行われている。
【特許文献１】特開平９−１７２５１９号公報
【特許文献２】特開２０００−２５３２０７号公報
【特許文献３】特開平６−２２５１６７号公報
【発明の開示】
【発明が解決しようとする課題】
【０００４】
しかしながら、読取りを行うデータ系、例えばＧの読取系データに異常があった場合、ＣＣＤ、アナログ増幅回路、ＡＤコンバータ、フィールドメモリなどのハード異常などが原因しており、この場合にはモノクロの良好な画像取得に対し影響を及ぼす。すなわち、異常画像が発生し、使用不可能なダウン状態となるため、修復までのマシンの使用不可時間（ダウンタイム）が長くなり、メンテナンス従事者や交換パーツの到着を待つロス時間が無駄となる。
本発明は、このように原稿の読取りを行う一のデータ系がダウンした場合であっても、マシンの全体をダウンさせることなく、本来の画像に準じたレベルでの画像を取得できることが可能な画像読取装置を提供することを目的とする。
【課題を解決するための手段】
【０００５】
請求項１記載の発明の画像読取装置は、複数の光スペクトル感度特性を有し、原稿からの反射光または透過光を受光して原稿画像を読取る光電変換素子と、光電変換素子からの読取画像をそれぞれの光スペクトル感度特性毎の画像データとして出力する画像データ読取手段と、複数の画像データ読取手段の内の一の画像データ読取手段を駆動すると共に、一の画像データ読取手段がダウンしたとき、他の画像データ読取手段を選択して駆動する選択手段とを有することを特徴とする。
【０００６】
請求項２記載の発明は、請求項１記載の画像読取装置であって、一の画像データ読取手段がダウンしたとき、ダウンを表示する表示手段をさらに有することを特徴とする。
【０００７】
請求項３記載の発明は、請求項１または２記載の画像読取装置であって、前記選択手段は他の画像データ読取手段の選択を手動切り換え可能となっていることを特徴とする。
【０００８】
請求項４記載の発明は、請求項１から３のいずれか１項に記載の画像読取装置であって、複数の画像データ読取手段はＲＧＢの３種の画像データを読取り、通常時はＧデータを使用してモノカラーの画像とし、前記Ｇデータの異常時には代替えデータとしてＲデータおよびＢデータのいずれかを使用することを特徴とする。
【発明の効果】
【０００９】
本発明によれば、画像読取りに用いている一の画像データ読取手段がダウンしたとき、選択手段が他の画像データ読取手段を選択して駆動するため、他の画像データ読取り手段のデータによる読取りが可能となる。このため、異常状態でも、マシンをダウンさせることなく、本来の画像に準じたレベルでの画像の取得を行うことができる。
【発明を実施するための最良の形態】
【００１０】
図１は、本発明の一実施形態としてのカラー画像読取装置の全体構成図を示す。図１におけるスキャナ本体１３において、原稿台ガラス８上に置かれた原稿は、第１ミラー３と一体に構成された照明ランプ２により  照射され、その反射光は、第１ミラー３及び一体に構成された第２ミラー５、第３ミラー４で走査される。その後反射光は、レンズ１により集束され、ＳＢＵ（Ｓｅｎｓｏｒ  Ｂｏａｒｄ  Ｕｎｉｔ）１０に搭載されているカラーＣＣＤ（図５参照：４２）に照射されることによりＲＧＢに光電変換される。この場合、第１ミラー３、照明ランプ２及び第２ミラー５、第３ミラー４は、走行体モータ９を駆動源として、左右方向に移動可能となっている。
【００１１】
原稿自動送り装置（ＡＤＦ：Ａｕｔｏ  Ｄｏｃｕｍｅｎｔ  Ｆｅｅｄｅｒ）１２を使用する場合、原稿は、表面、裏面の読取り共にＤＦ用原稿ガラス６と反射ガイド板２０との間の読取位置を通過する際に、読取位置の近傍に移動されている照明ランプ２により照射され、その反射光は、第１ミラー３及び一体に構成された第２ミラー５、第３ミラー４で走査される。その後反射光は、レンズ１により集束され、カラーＣＣＤが搭載されたＳＢＵ１０に照射されることによりＲＧＢに光電変換される。以上のスキャナ本体１３には、その本体及びＡＤＦを含めたカラー画像読取装置の動作制御を行うＳＣＵ７が搭載されている。
【００１２】
図２は、この実施形態の画像読取装置の全体ブロック図、図３は、画像読取装置の画像データフロー、図４及び図５は、画像制御に関するブロック図であり、これらの図を参照して画像読取りの作動を説明する。
【００１３】
ＳＢＵ１０上のカラーＣＣＤに入光した原稿の反射光は、カラーＣＣＤ内で光の強度に応じた電圧値を有するＲＧＢ各色のアナログ信号に変換される。ＲＧＢ各色のアナログ信号は、奇数ビットと偶数ビットに分かれて出力される。
【００１４】
上記ＳＢＵ１０のアナログ画像信号は、ＶＩＯＢ３１上でアナログ処理回路３２で暗電位部分が取り除かれ、奇数ビットと偶数ビットが合成され、所定の振幅にゲイン調整された後にＡ／Ｄコンバータ３３に入力されデジタル信号化される。
【００１５】
デジタル化された画像信号は、シェーディングＡＳＩＣ３４によりシェーディング補正されＶＩＯＢからＳＣＵ７を経てＳＣＵ上のＲＩＰＵ３５によりガンマ補正、ＭＴＦ補正等の画像処理が行なわれた後、同期信号、画像クロックとともにビデオ信号として出力される。
【００１６】
ＲＩＰＵ３５から出力されたビデオ信号は、図２及び図３に示すＯＩＰＵ３６へ出力されている。ＯＩＰＵ３６へ出力されたビデオ信号は、ＯＩＰＵ３６内で所定の画像処理が行なわれ、再びＳＣＵ７へ入力される。再びＳＣＵ７へ入力されたビデオ信号は、ＶＩＤＥＯ入力切り換え回路３７に入力される。
【００１７】
上記ＶＩＤＥＯ入力切り換え回路３７のもう一方の入力はＲＩＰＵ３５から出力されたビデオ信号となっていて、ＯＩＰＵ３６で画像処理の実行の有無を選択できる構成となっている。
【００１８】
前記ＶＩＤＥＯ入力切り換え回路３７から出力されたビデオ信号は、画像データ記憶手段（ＳＤＲＡＭ）を管理するＳＩＢＣ２：３８に入力され、ＳＤＲＡＭで構成される画像メモリに蓄えられる。画像メモリに蓄えられた画像データは、ＳＣＳＩコントローラ３９に送られ、パソコンやプリンタ等の外部装置へ転送される。
【００１９】
図４に示すように、ＳＣＵ７上には、ＣＰＵ１０８、ＲＯＭ１０９、ＲＡＭ１１０が実装されており、ＣＰＵ１０８は、外部Ｉ／Ｆ１０７部のＳＣＳＩコントローラー３６を制御することによりパソコン等の外部装置との通信を行なう。同様にＣＰＵ１０８は、ＶＩＤＥＯ入力切り換え回路３７から出力されたビデオ信号を外部Ｉ／Ｆ機能であるＩＥＥＥ１３９４コントローラ：ＩＳＩＣ４０を介してＩＥＥＥ１３９４  Ｉ／Ｆ、ネットワークスキャナコントローラ：ＮＩＣ４１を介してネットワーク  Ｉ／Ｆによりパソコンやプリンタ等の外部装置との通信を行なう。また、ＣＰＵ１０８は走行体を移動するためのモータ制御も行い、スキャナ本体のステッピングモータである走行体モーター（スキャナモータ）９、ＡＲＤＦの給紙モーター（図示せず）、搬送モーター（図示せず）のタイミング制御も行なっている。
【００２０】
ＡＤＵ４２は、ＡＲＤＦ部に用いる電装部品の電力供給を中継する機能を有している。ＳＣＵ７上のＣＰＵ１０８に接続されている入力ポートは、ＶＩＯＢ３１を介して本体操作パネル：ＳＯＰ４３に接続されている。
【００２１】
本体操作パネル：ＳＯＰ４３上にはスタートスイッチ（図示せず）とアボートスイッチ（図示せず）が実装されており、表示装置としては液晶表示装置（ＬＣＤ：１１７）を用いている。また、液晶表示装置１１７にはマトリックスタッチスイッチ１１６が設けられ、使用者が液晶表示による入力図柄を押すと、タッチスイッチが反応しその押下された座標情報（表示情報と対応）から入力された内容を判断する。ＬＣＤコントローラ１１５は液晶の表示制御とタッチスイッチの入力制御を行っており、タッチスイッチが押下されるとＬＣＤコントローラ１１５を介してＣＰＵ１０８はスイッチがＯＮされたことを検出する。
【００２２】
画像データは、ＳＢＵ１０からＲＩＰＵ３５へ、ＲＩＰＵ３５からメモリコントロールＬＳＩ（ＳＩＢＣ２）へ、メモリコントロールＬＳＩ（ＳＩＢＣ２）からＳＣＳＩコントローラへ、ＳＣＳＩコントローラから外部装置（パソコン等）へと流れることになる。また、ＣＰＵから画像出力のＯＮ／ＯＦＦを図示しない画処理ＬＳＩ（ＲＩＰＵ）内部に既知技術として装備し、内部レジスタの書き換えで制御する。
【００２３】
次に、ＲＧＢ画像データの流れを図５により説明する。ＳＢＵ１０上のカラーＣＣＤ４２によりＲＧＢそれぞれ奇数ビット（ＯＤＤ）、偶数ビット（ＥＶＥＮ）毎に光電変換されたアナログビデオ信号は、ＳＢＵ１０上のバッファを介しＶＩＯＢ３１に入力される。ここで、各信号をＲ−ＯＤＤ（ＲＯ）、Ｒ−ＥＶＥＮ（ＲＥ）、Ｇ−ＯＤＤ（ＧＯ）、Ｇ−ＥＶＥＮ（ＧＥ）、Ｂ−ＯＤＤ（ＢＯ）、Ｂ−ＥＶＥＮ（ＢＥ）として表す。
【００２４】
奇数ビット、偶数ビット毎のアナログビデオ信号は、ＶＩＯＢ３１上のアナログ処理回路３２に入力される。アナログ処理回路３２に入力された信号は奇数ビット、偶数ビット毎に出力レベルを細かく可変できる内部のゲインアンプ（図示せず）を介し、偶数、奇数合成され、アナログビデオ信号として出力される。
【００２５】
各ゲインアンプのゲインコントロール端子にはＤ／Ａコンバータ４４が２チャンネル接続されており、Ｄ／Ａコンバータ４４の出力電圧をアナログ的に可変することにより出力のアナログビデオ信号に対するゲインを偶数、奇数毎に可変することができる。Ｄ／Ａコンバータ４４の出力電圧の設定はＳＣＵ７上のＣＰＵ４５が行う。Ｄ／Ａコンバータ４４は基準電圧５Ｖ、ビット数が８ビットであるため、ＣＰＵ４５は０〜５Ｖの出力電圧まで２５５段階に設定することができる。このＣＰＵ４５の設定は０〜２５５のデジタル（整数）である。
【００２６】
アナログ処理回路３２から偶数、奇数を合成し出力されたアナログビデオ信号は、ＲＧＢ毎にＡ／Ｄコンバータ３３に入力され、Ａ／Ｄコンバータ３３はこのアナログビデオ信号を８ビットのデジタルビデオ信号に変換する。Ａ／Ｄコンバータ３３のリファレンス（ｒｅｆ）設定端子には上述と同様にＤ／Ａコンバータ４４が接続されており、Ｄ／Ａコンバータ４４の出力電圧をアナログ的に可変することでＡ／Ｄコンバータ３３のデジタル出力値を可変することができる。
【００２７】
Ａ／Ｄコンバータ３３によりデジタル変換されたデジタルビデオデータはシェーディングＡＳＩＣ３４に入力される。シェーディングＡＳＩＣ３４は主にシェーディング補正を行うが、このほかに主走査方向に対する１ラインのピーク値を検出することができるピーク検出部（図示せず）を有している。このピーク検出部は１ラインのピーク値を格納する機能を行う。ＳＣＵ７上にあるＣＰＵ４５は、格納された１ラインのピーク値を読取ることができる。
【００２８】
アナログ処理回路３２の入力アナログビデオ信号をＶｉｎ、アナログ処理回路である一定のゲイン値Ｇにより増幅された出力アナログビデオ信号（アナログ処理回路の出力信号）をＶｏｕｔとすると
Ｖｏｕｔ＝Ｇ×Ｖｉｎ
となる。また、Ａ／Ｄコンバータ３３は基準電圧（リファレンス電圧）を出力最大としてデジタル変換するもので、基準電圧をＶｒｅｆとすると８ビットデジタル出力値Ｄは
Ｄ＝（Ｖｏｕｔ／Ｖｒｅｆ）×２５５
となる。
【００２９】
以上のような構成において、例えば、Ａ／Ｄコンバータ３３以前の不具合により、シェーディングＡＳＩＣ３４で取得されるシェーディングデータに異常を生じた場合の対応について説明する。
【００３０】
画像読取装置においては、画像取得直前にＲＧＢ各波長スペクトルに対し、反射率が高くバランスの良い白色板を使用し、ＲＧＢ毎にシェーディング処理を行う。ここで、シェーディング補正とは、ＣＣＤの感度ムラや光源の照度分布バラツキの補正のことであり、ヂジタル光学系に関しては必須の事項となっている。
【００３１】
実施に際し、まずシェーディングデータ生成を行なう。シェディングデータは、白基準板を読取り１６ラインの画像データの単純加算平均より求める。すなわち、
シェーディングデータ＝（１ライン目のデータ＋２ライン目のデータ＋‥‥＋１６ライン目のデータ）／１６
によって求める。
【００３２】
一般的なシェーディング補正は上記シェーディングデータから対応する画素を演算する。最大減算量を２５５（８ｂｉｔ）としたときのシェーディング演算式を下式に示す。このシェーディングの基本式は、
シェーディング補正後データ＝（読取データ／シェーディングデータ）×２２５
上式において、読取りデータをＤ（ｎ）、シェーディングデータをＳ＿（ｎ）、
シェーディング補正後データをＤ＿（ｎ）とすると、
Ｄ＿（ｎ）＝（Ｄ（ｎ）／Ｓ＿（ｎ））×２５５
となる。（ｎは任意の有効画素番号であり、例えば、ｎ＝１〜７３００である。）
【００３３】
シェーディングデータデータをＤ、シェーディング前画像データをＤｉｎ、シェーディングデータ後の画像データをＤｓとすると、ＲＧＢ各個別に実施するので、各ＲＧＢのデータは、小文字のｒｇｂを付けて表現すると、
Ｄ＿（ｎ）ｇ＝（Ｄ（ｎ）ｇ／Ｓ＿（ｎ）ｇ）×２５５
となる。
【００３４】
白基準板の各ＲＧＢの主走査ピークデータが通常２２０ｄｉｇｉｔ程度でアナログゲインが調整されているが、シェーディングに際に作成されるシェーディングデータＳ＿（ｎ）ｇが極端に低い場合（例えばＳ＿（ｎ）ｒ、Ｓ＿（ｎ）ｂが２０８ｄｉｇｉｔ、２０９ｄｉｇｉｔに比べて、このＳ＿（ｎ）ｇデータのみが３２ｄｉｇｉｔの場合）には、明らかにこのＧ系の異常であると判断できる。
【００３５】
図８には、その一例としてＡＳＩＣ内部のレジスタの様子を表現している。シェーディングデータのアドレス（ｈｅｘ）は８０００Ｈから始まりｂ７〜ｂ０の８ｂｉｔで書き込まれる。
【００３６】
すなわち、８０００Ｈのアドレスには、Ｒのシェ−ディングデータの特定画素値（８ｂｉｔ）２０８が記載されている。８００１Ｈのアドレスには、Ｇのシェ−ディングデータの特定画素値（８ｂｉｔ）３２が記載されている。８００２Ｈのアドレスには、Ｂのシェ−ディングデータの特定画素値（８ｂｉｔ）２０９が記載されている。８００４Ｈのアドレスは、ＲＧＢシェ−ディングデータのエラーフラグ（３ｂｉｔ）であり「ｂ２」がＲ、「ｂ１」がＧ、「ｂ０」がＢとなっており（なお、「ｂ７」〜「ｂ４」は不使用）、「ｂ１」に「１」が立ち、エラー状態を表している。
【００３７】
この場合、Ｓ＿（ｎ）ｇはＤ（ｎ）ｇの値が小さく（暗側）にあっても、補正係数が大きくなるため、明側に飛ばしてしまい、場合によっては出力飽和状態（２５５ｄｉｇｉｔ）となる。このとき、画像は異常画素部分が白スジのような状態になる。なお、異常がＣＣＤの画素単位ではなく、回路であればその異常範囲はスジから全面に広がる。
【００３８】
以上のようにシェーディングＡＳＩＣ３４以降にはシェーディング異常のデータが流れるが、シェーディングＡＳＩＣ３４内部のＧの内部レジスタに、主走査の特定画素（ＥＸ．中央数画素分）の値が書き込まれる。この値に対しあらかじめ正常設定範囲（例えば、６４ｄｉｇｉｔ以上）を指定しておき、それ以外の値（例えば３２ｄｉｇｉｔ）になればエラーフラグが立つレジスタを設けておく。
【００３９】
このとき、ＣＰＵ４５がデータをリードしてＣＰＵ処理の中で判断させても実施可能であるが、ＣＰＵバスを介してリードするＣＰＵ側の負荷はＡＳＩＣ３４側でハード実施する方が少ない。同様にＲ，Ｂに関しても同じ構成を有しており、３データに対して同様のことが実施可能である。このように各ＲＧＢ画像データの画像処理部分にこのような機能を設けておくことにより、ＲＧＢどのデータ系で異常が有ったのかが、ＣＰＵで簡単に判断可能となる。
【００４０】
通常のテキスト原稿においては、その原稿はカラーグラフィックスよりも、文字の占める割合が多く、その色については、現状はほとんどの場合は白黒（グレー系）であるため、原稿としてＲＧＢそれぞれのピーク波長での反射率は大きく差はない。そのため、Ｇが使用できない場合の代用として、ＢもしくはＲのデータでも代用可能となる場合が多い。
【００４１】
実際にはグレー系の原稿であっても、ＲもしくはＢ成分の波長スペクトルに対する原稿反射率も各印刷物、インク、染料などによって違うものになる。装置側は白基準板でＲＧＢシェーディングを行なうことから、白基準のＲＧＢ反射率比とは違う原稿の場合、Ｒ、Ｂデータ使用により得られるモノクロ画像の濃度は微妙な違いが発生する可能性はありえる。そのために、ユーザに対しモノクロ画像所得データの選択手段は微調整として有益なものとなる。
【００４２】
Ｇの代用として、ＲもしくはＢを選択するかを、画像を見て選択できれば、例えばグレー系原稿の中に赤系が多いものであれば、その赤濃度を明るく飛ばしたければＲを選択し、濃くしたければＢを選択すれば良い。このような選択は、図４のブロック図においては、ＳＯＰ４３上のタッチスイッチ１１６への入力により可能となる。スイッチの下層にはＬＣＤ表示が重なって配置されているため、ＬＣＤで表示された図柄（Ｒ，Ｇ，Ｂのキー表示）を押すと、上層のタッチスイッチが反応し、その座標からＲもしくは、Ｂが選択されたことをＬＣＤコントローラを介してＣＰＵに読ませることが可能である。
【００４３】
図６はＳＯＰ４３における入力構造を示し、図７はその表示例を示す。図６において、スイッチの上側のシート１１６ａがｘ座標、下側のシート１１６ｂがｙ座標となり、その真下にＬＣＤ１１７が配置されている。
【００４４】
また、図７においては、モノクロ画像使用データの状態を示し、（ａ）は通常状態（使用中は白抜きを表現している。Ｇデータを使用）、（ｂ）は異常発生（Ｇ異常：暗で表現。下部に異常を提示）であり、代替えデータ使用中（Ｒ選択。白抜きに変化）を示している。このとき、Ｂ表示は変化しない。
【００４５】
なお、この実施形態のタッチスイッチは２枚シート間の電極接合式であるが、押下座標を得られるもの構造であっても良く、センサー式であっても良いまた、ハードキーで実施しても良い。また、表示装置に関しても、ＬＣＤではＴＮ，ＳＴＮ、ＴＦＴ方式であっても良いが、印刷された絵柄の下にＬＥＤ、電球などの光源を設けて表示する構造としても良い。
【００４６】
この例のようにＲが選択された場合、ＣＰＵ４５はＲＩＰＵ３５のモノクロ選択レジスタへＲ選択を書き込む。
【００４７】
図９に示す例ではＲＩＰＵレジスタの９０００Ｈに選択レジスタが設置された場合を示す。図９に示すように、９０００ＨのアドレスはＲＧＢ選択データフラグ（３ｂｉｔ）であり、「ｂ２」はＲ、「ｂ１」はＧ、「ｂ０」はＢ（「ｂ７」〜「ｂ４」は不使用）であり、「ｂ１」に「１」が立ち、Ｒ選択状態を表している。
【００４８】
ＲＩＰＵ３５はＲＩＰＵ３５に取り込まれるＲＧＢデータの中からＲデータを選択し、後段のメモリコントローラ以降の回路へ画像データバスを通して流す。なお、他色を選択した場合も同様である。この実施形態では、９００１Ｈのアドレスが出力先選択フラグ（３ｂｉｔ）、「ｂ２」がＯＰＩＵ、「ｂ１」がメモリコントローラ、「ｂ０」がその他（画像評価装置など）であって、「ｂ７」〜「ｂ４」は不使用となっている。「ｂ１」に１が立ち、メモリコントローラ選択状態を表している。
【図面の簡単な説明】
【００４９】
【図１】カラー画像読取装置の全体構成を示す断面図である。
【図２】カラー画像読取装置の内部を示すブロック図である。
【図３】画像データの流れを示すフロー図である。
【図４】画像制御を行うブロック図である。
【図５】ＲＧＢ画像データの流れを示すブロック図である。
【図６】タッチスイッチを示す断面図及び斜視図である。
【図７】液晶表示装置の表示例を示す正面図である。
【図８】シェーディングＡＳＩＣの内部レジスタを示すテーブルである。
【図９】ＲＩＰＵの内部レジスタを示すテーブルである。
【符号の説明】
【００５０】
１    レンズ
２    照明ランプ
３，４，５    ミラー
８    原稿台ガラス
１０    ＳＢＵ
３１    ＶＩＯＢ
３２    アナログ処理回路
３３    Ａ／Ｄコンバータ
３４    シェーディングＡＳＩＣ
３５    ＲＩＰＵ
３６    ＯＩＰＵ
【図１】
2006166270.tif 000003
【図２】
2006166270.tif 000004
【図３】
2006166270.tif 000005
【図４】
2006166270.tif 000006
【図５】
2006166270.tif 000007
【図６】
2006166270.tif 000008
【図７】
2006166270.tif 000009
【図８】
2006166270.tif 000010
【図９】
2006166270.tif 000011